(57)【要約】      （修正有）【課題】  ヘッドの移動精度に与える影響を低く抑え、又ステンレス等のカバーを用いて切粉の付着及び切粉によるカバーの損傷を防いだカバーを提供する。【解決手段】  ヘッドと、工作機械の周囲を覆うためのカバーとを備えた工作機械において、カバー２０、２２は、ヘッドとともに移動するように、その一端２０ａ、２２ａがヘッドに接続されている。カバー２０、２２の他端２０ｂ、２２ｂは、エアーシリンダー４４、４６に接続されている。カバー２０、２２は、エアーシリンダー４４、４６により引張られて張りつめた状態で保持されている。【選択図】  図３
2005088159.tif 000002
【特許請求の範囲】
【請求項１】
ヘッドと、工作機械の周囲を覆うためのカバーを備えた工作機械において、カバー（２０、２２）は、一端（２０ａ、２２ａ）がヘッド（１４）に接続されていて、ヘッド（１４）とともに移動可能になっており、カバー（２０、２２）の他端（２０ｂ、２２ｂ）は、エアーシリンダー（４４、４６）に接続されていて、カバー（２０、２２）がエアーシリンダー（４４、４６）によりエアーシリンダー（４４、４６）の方向に引張られた状態で保持されて工作機械の周囲を覆う構成になっていることを特徴とする工作機械。
【請求項２】
カバー（２０、２２）がステンレスで形成されていることを特徴とする請求項１に記載の工作機械。
【請求項３】
ヘッド（１４）とエアーシリンダー（４４、４６）の間にパイプ（３２、３４）が設けられていて、カバー（２０、２２）がパイプ（３２、３４）により曲げられた状態で保持されていることを特徴とする請求項１又は２に記載の工作機械。
【請求項４】
カバー（２０、２２）が、チェーン（２４、２６）及びプーリー（３６、３８）を介してエアーシリンダー（４４、４６）に接続されていることを特徴とする請求項１〜３のいずれか１項に記載の工作機械。
【請求項５】
カバーが第１カバー（２０）と第２カバー（２２）からなり、第１カバー（２０）はヘッド（１４）の一の側方に接続され、第２カバー（２２）はヘッド（１４）の他の側方に接続されていて、エアーシリンダーが第１エアシリンダー（４４）と第２エアシリンダー（４６）からなり、第１エアシリンダー（４４）は第１カバー（２０）のヘッド（１４）と反対側の端部（２０ｂ）に接続され、第２エアシリンダー（４６）は第２カバー（２２）のヘッド（１４）と反対側の端部（２２ｂ）に接続されていて、第１カバー（２０）と第２カバー（２２）が第１エアシリンダー（４４）と第２エアシリンダー（４６）により引張られた状態でそれぞれ保持されていることを特徴とする請求項１〜４のいずれか１項に記載の工作機械。
【発明の詳細な説明】
【技術分野】
【０００１】
本発明は、ヘッドと、ヘッドとともに移動して工作機械の周囲を覆うためのカバーを備えた工作機械に関する。
【背景技術】
【０００２】
ヘッドと、工作機械の周囲を覆うためのカバーを備えた工作機械は公知である。このタイプの工作機械のカバーは、加工時に生成する切粉が工作機械内部に侵入するのを防ぐために用いられている。
【０００３】
例えば、特許文献１には、ヘッドの両側にカバーとして多数の平板を接続した構成の工作機械が示されている。この工作機械は、平板をリンク等によって伸縮自在に連結してヘッドに合わせて移動させている。
【０００４】
また、特許文献１には、上下一対のＸ軸レールを備えた門型の固定コラムと、左右一対のＹ軸レールを備え上記Ｘ軸レールに沿って左右に移動自在に上記固定コラムに設けられたサドルと、該サドルをＸ軸レールに沿って移動させるＸ軸移動装置と、上記一対のＹ軸レールの間に主軸を備え上記Ｙ軸レールに沿って上下一対の上記Ｘ軸レールの間で上下に移動自在に上記サドルに設けられた主軸頭と、該主軸頭をＹ軸レールに沿って移動させるＹ軸移動装置と、上記サドルの左右両側に設けられＸ軸レールに沿うサドルの移動に従って移動して上下一対の上記Ｘ軸レールの間の空間を遮蔽するＸ軸遮蔽装置と、上記主軸頭の上下両側に設けられＹ軸レールに沿う主軸頭の移動に従って移動して左右一対の上記Ｙ軸レールの間の空間を遮蔽するＹ軸遮蔽装置とを具備したことを特徴とする工作機械が示されている。
【０００５】
この公知の工作機械では、ヘッドの両側にシート状のカバーが設けられ、これらのカバーのヘッドと反対側の端部が、チェーンを介して連結されている。
【特許文献１】特開平８−２５１６１号公報
【発明の開示】
【発明が解決しようとする課題】
【０００６】
しかしながら、ヘッドの両側にカバーとして多数の平板を連結した構成の工作機械において、平板の重量が大きいと、平板がヘッドの移動精度に与える影響は大きくなる。
【０００７】
また、２つのカバーのヘッドと反対側の端部がチェーンを介して連結された構成の工作機械では、ヘッドのみでカバーを移動させるため、カバーがヘッドの移動精度に与える影響を無視できない。特に、ステンレス等の重量の大きいカバーをこのタイプの工作機械に用いるのは困難である。
【０００８】
そこで、本発明は、カバーがヘッドに与える影響を低く抑えることができる工作機械を提供することを目的としている。
【０００９】
更に、本発明は、ステンレス等のカバーを用いて切粉の付着及び切粉によるカバーの損傷を防ぐことができる工作機械を提供することを目的としている。
【課題を解決するための手段】
【００１０】
本発明の解決手段を例示すると、請求項１ないし５に記載の工作機械である。
【発明の効果】
【００１１】
本発明によれば、カバーがヘッドに与える影響を低く抑えることができる。比較的重いカバーであってもヘッドにほとんど影響を与えない。
【００１２】
カバーをステンレスで形成すれば、カバーへの切粉の付着及び切粉によるカバーの損傷を防ぐことができる。
【００１３】
ヘッドとエアーシリンダーの間にパイプを設け、カバーがパイプにより曲げられた状態で保持するようにすれば、カバーを安定させて案内できる。また、カバーを曲げた分だけ工作機械のスペースを小さく出来る。
【００１４】
チェーン及びプーリーを介して、カバーをエアーシリンダーに接続すれば、簡単な構成でカバーを引張られた状態にすることができる。
【００１５】
カバーを第１カバーと第２カバーで構成し、各カバーをエアーシリンダーによりそれぞれ引張る構成にすれば、カバーがヘッドに与える影響を更に低く抑えることができる。とくに、２つのエアーシリンダーを制御装置により対応して制御する構成にすれば、カバーがヘッドに与える影響を更に低く抑えることができる。
【発明を実施するための最良の形態】
【００１６】
本発明によれば、工作機械は、ヘッドと、工作機械の周囲を覆うためのカバーとを備え、カバーがヘッドとともに移動し、カバーの一端はヘッドに接続され、カバーの他端はエアーシリンダーに接続されていて、カバーがエアーシリンダーによりエアーシリンダーの方向に引張られて張りつめた状態で保持されている。
【００１７】
カバーはステンレスで構成するのが好ましい。この場合、カバーの厚みは、例えば０．３ｍｍとすることができる。カバーを他の耐久性を有する材料で構成しても良い。
【００１８】
ヘッドとエアーシリンダーの間にパイプを設けて、パイプによりカバーが曲げられた状態で保持されるようにしてもよい。この場合、パイプの両端を軸受で保持することにより、パイプを回転可能に構成すると良い。
【００１９】
カバーが、チェーン及びプーリーを介してエアーシリンダーに接続されるようにしてもよい。チェーンは上側チェーンと下側チェーンの２つのチェーンで構成するのが好ましいが、１つのチェーンで構成しても良いし、３つ以上のチェーンで構成しても良い。
【００２０】
カバーが第１カバーと第２カバーからなり、第１カバーはヘッドの一方の側部に接続され、第２カバーはヘッドの他方の側部に接続されていて、エアーシリンダーが第１エアシリンダーと第２エアシリンダーからなり、第１エアシリンダーは第１カバーのヘッドと反対側の端部に接続され、第２エアシリンダーは第２カバーのヘッドと反対側の端部に接続されていて、第１カバーと第２カバーが第１エアシリンダーと第２エアシリンダーによりそれぞれ引張られた状態で保持されるようにしてもよい。
【実施例】
【００２１】
以下、本発明の実施例を、図面を参照して説明する。
【００２２】
図１は、本発明の好適な実施例を示す概略上面図である。図２は、工作機械のカバーとエアーシリンダー付近の構造を示す分解図である。図３は、図１の概略斜視図である。図３においては、ヘッド、コラム、フレーム等は図示省略されている。
【００２３】
工作機械１０は、コラム１２を備えている。コラム１２には、ヘッド１４が設けられている。ヘッド１４は、矢印Ｘで示すＸ軸方向（横方向）と、Ｙ軸方向（鉛直方向）、これらに直交するＺ軸方向に沿って移動可能である。
【００２４】
ヘッド１４の周囲には、プレート１６及び接続部分１８が設けられている。
【００２５】
プレート１６は、ヘッド１４の周囲を囲む平板で構成されていて、ヘッド１４とともにＸ軸方向及びＹ軸方向に沿って移動可能である。
【００２６】
接続部分１８は、プレート１６を内部に移動可能に備えた門型の剛体部材で構成されていて、Ｘ軸方向に移動可能である。
【００２７】
ヘッド１４には、プレート１６と接続部分１８を介してカバー２０、２２が接続されている。
【００２８】
カバー２０，２２は、第１カバー２０と第２カバー２２からなる。
【００２９】
まず、第１カバー２０について説明する。
【００３０】
第１カバー２０は、ステンレス製の矩形のシートで構成され、Ｙ軸方向に直立して配置されている。
【００３１】
第１カバー２０の一端２０ａは、第１カバー２０のＹ軸方向の一方の辺付近で構成されていて、接続部分１８に固定されている。すなわち、第１カバー２０の一端２０ａは、接続部分１８を介してヘッド１４に接続されている。
【００３２】
第１カバー２０の他端２０ｂは、第１カバー２０のＹ軸方向の他方の辺付近で構成されていて、後述する第１チェーン２４に接続されている。
【００３３】
第１カバー２０の中間部分２０ｃは、一端２０ａと他端２０ｂの間にある。中間部分２０ｃの内側には、第１パイプ２８がＹ軸方向に直立して配置されている。第１パイプ２８は、その両端を第１軸受３２によって保持されていて、第１カバー２０の移動に対応してＹ軸方向の軸心を中心に矢印Ａ方向に回転自在である。すなわち、第１カバー２０の中間部分２０ｃが、第１パイプ２８により曲げられた状態で保持されるようになっている。
【００３４】
第１チェーン２４は、第１カバー２０の他端２０ｂを矢印Ｃ方向に引張った状態で保持するために用いられる。
【００３５】
第１チェーン２４の一端は、第１カバー２０の他端２０ｂに接続されている。第１チェーン２４の他端は、第１プーリー３６を介して、第１シリンダー取付板４８の固定部４０に接続されている。第１シリンダー取付板４８は、工作機械１０のフレーム５２に取付けられている。
【００３６】
第１チェーン２４は、上側チェーン２４ａと下側チェーン２４ｂからなる。上側チェーン２４ａと下側チェーン２４ｂの各一端は、第１カバー２０の他端２０ｂの上側と下側にそれぞれ接続されていて、第１カバー２０を鉛直のまま引張ることが可能になっている。
【００３７】
第１チェーン２４の中間には、第１プーリー３６と第１エアシリンダー４４が設けられている。
【００３８】
第１プーリー３６は、上側プーリー３６ａ、下側プーリー３６ｂ、及び基端側プーリー３６ｃからなる。
【００３９】
上側プーリー３６ａは、シリンダー取付板４８の上側に回転自在に取付けられていて、上側チェーン２４ａと下側チェーン２４ｂを保持して案内する。
【００４０】
下側プーリー３６ｂは、上側プーリー３６ａの直下に回転自在に取付けられていて、下側チェーン２４ｂを保持して案内する。
【００４１】
基端側プーリー３６ｃは、上側プーリー３６ａと下側プーリー３６ｂの側方中間に設けられていて、上側チェーン２４ａと下側チェーン２４ｂを保持する。基端側プーリー３６ｃは、エアーシリンダー４４によって上下動可能である。
【００４２】
エアーシリンダー４４は、図示省略した制御装置に接続されていて、基端側プーリー３６ｃを矢印Ｂ方向に上下動させる。
【００４３】
第２カバー２２について説明する。なお、第２カバー２２の構成は、第１カバー２０の構成とほぼ同じである。
【００４４】
第２カバー２２は、ステンレス製の矩形のシートで構成され、Ｙ軸方向に直立して配置されている。
【００４５】
第２カバー２２の一端２２ａは、第２カバー２２のＹ軸方向の一方の辺付近で構成されていて、接続部分１８に固定されている。すなわち、第２カバー２２の一端２２ａは、接続部分１８を介してヘッド１４に接続されている。
【００４６】
第２カバー２２の他端２２ｂは、第１カバー２２のＹ軸方向の他方の辺付近で構成されていて、後述する第２チェーン２６に接続されている。
【００４７】
第２カバー２２の中間部分２２ｃは、一端２２ａと他端２２ｂの間にある。中間部分２２ｃの内側には、第２パイプ３０がＹ軸方向に直立して配置されている。第２パイプ３０は、その両端を第２軸受３４によって保持されていて、第２カバー２２の移動に対応してＹ軸方向の軸心を中心に矢印Ａ方向に回転自在である。すなわち、第２カバー２２の中間部分２２ｃが、第２パイプ３０により曲げられた状態で保持されるようになっている。
【００４８】
第２チェーン２６は、第２カバー２２の他端２２ｂを矢印Ｄ方向に引張った状態で保持するために用いられる。
【００４９】
第２チェーン２６の一端は、第２カバー２２の他端２２ｂに接続されている。第２チェーン２６の他端は、第２プーリー３８を介して、第２シリンダー取付板５０の固定部４２に接続されている。第２シリンダー取付板５０は、工作機械１０のフレーム５２に取付けられている。
【００５０】
第２チェーン２６は、上側チェーン２６ａと下側チェーン２６ｂからなる。上側チェーン２６ａと下側チェーン２６ｂの各一端は、第２カバー２２の他端２２ｂの上側と下側にそれぞれ接続されていて、第２カバー２２を鉛直のまま引張ることが可能になっている。
【００５１】
第２チェーン２６の中間には、第２プーリー３８と第２エアシリンダー４６が設けられている。
【００５２】
第２プーリー３８は、上側プーリー３８ａ、下側プーリー３８ｂ、及び基端側プーリー３８ｃからなる。
【００５３】
上側プーリー３８ａは、シリンダー取付板５０の上側に回転自在に取付けられていて、上側チェーン２６ａと下側チェーン２６ｂを保持して案内する。
【００５４】
下側プーリー３８ｂは、上側プーリー３８ａの直下に回転自在に取付けられていて、下側チェーン２６ｂを保持して案内する。
【００５５】
基端側プーリー３８ｃは、上側プーリー３８ａと下側プーリー３８ｂの側方中間に設けられていて、上側チェーン２６ａと下側チェーン２６ｂを保持する。基端側プーリー３８ｃは、エアーシリンダー４６によって上下動可能である。
【００５６】
エアーシリンダー４６は、図示省略した制御装置に接続されていて、基端側プーリー３８ｃを上下動させる。
【００５７】
工作機械１０の作用を説明する。
【００５８】
例えば、ヘッド１４を工作機械１０に向かって左側に移動させると、第１カバー２０と第２カバー２２はヘッド１４とともに左側に移動する。このとき、第１エアシリンダー４４は、ヘッド１４の移動に合わせて基端側プーリー３６ｃを下方に移動させる。第２エアシリンダー４６は、ヘッド１４の移動に合わせて基端側プーリー３８ｃを上方に移動させる。第１チェーン２４は、第１カバー２０を引張った状態で移動させる。第２チェーン２６は、第２カバーを引張った状態で移動させる。第１カバー２０と第２カバー２２は、第１エアシリンダー４４と第２エアシリンダー４６によりそれぞれ引張られた状態で保持されているため、スムーズに移動される。
【００５９】
なお、本発明は前述の実施例に限定されない。
【００６０】
たとえば、ヘッドとカバーは、種々の方式で接続できる。ヘッドとチェーンの構成は任意である。エアーシリンダーは種々の形式及び配置にすることができる。
【図面の簡単な説明】
【００６１】
【図１】本発明の好適な実施例を示す概略上面図である。
【図２】工作機械のカバーとエアーシリンダー付近の構造を示す分解図である。
【図３】図１の概略斜視図である。なお、ヘッド、コラム、フレーム等は図示省略されている。
【符号の説明】
【００６２】
１０  工作機械
１２  コラム
１４  ヘッド
１６  プレート
１８  接続部分
２０、２２  カバー
２０ａ、２２ａ  カバーの一端
２０ｂ、２２ｂ  カバーの他端
２０ｃ、２２ｃ  カバーの中間部分
２４、２６  チェーン
２４ａ、２６ａ  上側チェーン
２４ｂ、２６ｂ  下側チェーン
２８、３０  パイプ
３２、３４  軸受
３６、３８  プーリー
３６ａ、３８ａ  上側プーリー
３６ｂ、３８ｂ  下側プーリー
３６ｃ、３８ｃ  基端側プーリー
４０、４２  固定部
４４、４６  エアーシリンダー
４８、５０  シリンダー取付板
５２  フレーム
【図１】
2005088159.tif 000003
【図２】
2005088159.tif 000004
【図３】
2005088159.tif 000005